(57)【要約】      （修正有）【課題】電気光学パネルの端面とプレートとを固定する接着剤が電気光学パネルの一方面側まで周り込むことを抑制することのできる電気光学モジュール、および電子機器を提供する。【解決手段】電気光学モジュールでは、プレート２のパネル配置穴２０に電気光学パネル４０を配置した後、電気光学パネル４０の端面（第１基板５１の端面５１１、５１２）と内周面２００との間に接着剤９を設け、パネル配置穴２０の内周面２００のうち、電気光学パネル４０の端面と対向する第１部分２０１と電気光学パネル４０の端面とを接着剤９により固定する。接着剤９が設けられている個所では、パネル配置穴２０の内周面２００のうち、第１部分２０１に隣り合う第２部分２０２が、平面視で電気光学パネル４０の端面より外側に位置し、電気光学パネル４０の一方面側に重なっていない。【選択図】図４
2015197573.tif 000002
【特許請求の範囲】
【請求項１】
電気光学パネルと、
該電気光学パネルが内側に配置されたパネル配置穴が形成されたプレートと、
前記パネル配置穴の内周面のうち、前記電気光学パネルの端面と対向する第１部分と前
記電気光学パネルの端面とを固定する接着剤と、
を有し、
前記接着剤が設けられている個所では、前記パネル配置穴の内周面のうち、前記第１部
分に対して前記プレートの厚さ方向の一方側で隣り合う第２部分が、平面視において前記
電気光学パネルの端面と重なる位置または前記電気光学パネルの端面より外側に位置する
ことを特徴とする電気光学モジュール。
【請求項２】
前記接着剤は、前記電気光学パネルの周方向において離間する複数個所で前記第１部分
と前記電気光学パネルの端面とを固定していることを特徴とする請求項１に記載の電気光
学モジュール。
【請求項３】
前記プレートは、前記接着剤が設けられていない個所で前記第１部分より内側に張り出
して、前記電気光学パネルの一方面側を支持するパネル支持部を備えていることを特徴と
する請求項２に記載の電気光学モジュール。
【請求項４】
前記電気光学パネルは、平面視において、相対向する２つの辺を備え、
前記接着剤は、前記２つの辺の各々において、互いに離間する２個所に設けられている
ことを特徴とする請求項２または３に記載の電気光学モジュール。
【請求項５】
前記第２部分は、前記第１部分より内側に張り出していることを特徴とする請求項１乃
至４の何れか一項に記載の電気光学モジュール。
【請求項６】
前記第２部分は、平面視において前記電気光学パネルの端面より外側に位置することを
特徴とする請求項１乃至５の何れか一項に記載の電気光学モジュール。
【請求項７】
前記プレートは、金属製であることを特徴とする請求項１乃至６の何れか一項に記載の
電気光学モジュール。
【請求項８】
前記電気光学パネルの端面は、当該電気光学パネルに用いた石英基板の端面によって構
成されており、
前記プレートは、ニッケルおよび鉄を含む合金からなることを特徴とする請求項７に記
載の電気光学モジュール。
【請求項９】
前記電気光学パネルは、第１基板と、該第１基板にシール材によって貼り合わされた第
２基板と、前記第１基板と前記第２基板との間のうち、前記シール材によって囲まれた空
間内に設けられた液晶層と、を有し、
前記第１基板の端面によって前記電気光学パネルの端面が構成されていることを特徴と
する請求項１乃至８の何れか一項に記載の電気光学モジュール。
【請求項１０】
請求項１乃至９の何れか一項に記載の電気光学モジュールを備えた電子機器であって、
前記電気光学パネルに供給される光を出射する光源部と、
前記電気光学パネルによって変調された光を投射する投射光学系と、
を有していることを特徴とする電子機器。
【発明の詳細な説明】
【技術分野】
【０００１】
本発明は、投射型表示装置等の電子機器に用いられる電気光学モジュール、および該電
気光学モジュールを備えた電子機器に関するものである。
【背景技術】
【０００２】
投射型表示装置等の電子機器において画像を表示する際には、液晶パネル等の電気光学
パネルによって変調した光を利用する。かかる電気光学パネルは、接着剤によってフレー
ムやプレート等の支持部材に固定された状態で電子機器に搭載される（特許文献１、２）
。例えば、特許文献１、２に記載の構成では、フレームやプレート等の支持部材に形成し
たパネル配置穴内に電気光学パネルを配置し、パネル配置穴の底部によって電気光学パネ
ルを支持した状態でパネル配置穴の内周面と電気光学パネルの端面とを接着剤によって固
定する。
【先行技術文献】
【特許文献】
【０００３】
【特許文献１】特開２０１１−１６９９４４号公報
【特許文献２】特開２００４−１９８９３４号公報
【発明の概要】
【発明が解決しようとする課題】
【０００４】
特許文献１、２に記載の構成では、パネル配置穴の底部が電気光学パネルの一方面側に
重なっている。このため、接着剤が毛管現象により電気光学パネルとパネル配置穴の底部
との間に侵入することがあり、かかる接着剤の侵入量が場所によって相違していると、電
気光学パネルに応力が加わって電気光学パネルが変形することがある。特に温度が上昇し
た場合、接着剤の侵入量が場所によって相違していると、支持部材や接着剤の熱膨張が電
気光学パネルに及ぼす影響が場所によって相違することになる結果、電気光学パネルに応
力が加わって電気光学パネルが変形する。かかる電気光学パネルの変形は、表示品位の低
下等の原因となるため、好ましくない。
【０００５】
以上の問題点に鑑みて、本発明の課題は、電気光学パネルの端面とプレートとを固定す
る接着剤が電気光学パネルの一方面側まで周り込むことを抑制することのできる電気光学
モジュール、および当該電気光学モジュールを備えた電子機器を提供することにある。
【課題を解決するための手段】
【０００６】
上記課題を解決するために、本発明に係る電気光学モジュールは、電気光学パネルと、
該電気光学パネルが内側に配置されたパネル配置穴が形成されたプレートと、前記パネル
配置穴の内周面のうち、前記電気光学パネルの端面と対向する第１部分と前記電気光学パ
ネルの端面とを固定する接着剤と、を有し、前記接着剤が設けられている個所では、前記
パネル配置穴の内周面のうち、前記第１部分に対して前記プレートの厚さ方向の一方側で
隣り合う第２部分が、平面視において前記電気光学パネルの端面と重なる位置または前記
電気光学パネルの端面より外側に位置することを特徴とする。
【０００７】
本発明では、プレートのパネル配置穴に電気光学パネルを配置した後、電気光学パネル
の端面とパネル配置穴の内周面との間に接着剤を注入し、パネル配置穴の内周面のうち、
電気光学パネルの端面と対向する第１部分と電気光学パネルの端面とを接着剤により固定
する。ここで、接着剤が設けられている個所では、パネル配置穴の内周面のうち、第１部
分に対してプレートの厚さ方向の一方側で隣り合う第２部分が、平面視において電気光学
パネルの端面と重なる位置または電気光学パネルの端面より外側に位置し、電気光学パネ
ルの一方面側に重なっていない。このため、電気光学パネルの端面とパネル配置穴の内周
面との間に接着剤を設けた際、接着剤が毛管現象によって電気光学パネルの一方面側まで
回り込むという事態が発生しにくい。従って、接着剤が電気光学パネルの一方面側に回り
込んだ量が場所によって相違することに起因する応力が電気光学パネルに加わりにくいの
で、電気光学パネルの変形を抑制することができる。
【０００８】
本発明において、前記接着剤は、前記電気光学パネルの周方向において離間する複数個
所で前記第１部分と前記電気光学パネルの端面とを固定していることが好ましい。かかる
構成によれば、接着剤を全周に設けた場合に比して、電気光学パネルの一方面側まで接着
剤が回り込むことをより抑制することができる。
【０００９】
本発明において、前記プレートは、前記接着剤が設けられていない個所で前記第１部分
より内側に張り出して、前記電気光学パネルの一方面側を支持するパネル支持部を備えて
いることが好ましい。かかる構成によれば、プレートのパネル配置穴に配置した電気光学
パネルをパネル支持部によって支持することができるので、電気光学パネルをプレートに
固定する際、治具等によって電気光学パネルを支持する必要がない。
【００１０】
本発明において、前記電気光学パネルは、平面視において、相対向する２つの辺を備え
、前記接着剤は、前記２つの辺の各々において、互いに離間する２個所に設けられている
構成を採用することができる。かかる構成によれば、接着剤を対称に配置しやすい。従っ
て、プレートや接着剤が温度変化に伴って膨張あるいは収縮した場合でも、かかる応力が
電気光学パネルに均等に加わるため、電気光学パネルの変形を抑制することができる。
【００１１】
本発明において、前記第２部分は、前記第１部分より内側に張り出している構成を採用
することが好ましい。かかる構成によれば、電気光学パネルの端面とパネル配置穴の内周
面との間に接着剤を設けた際、第２部分によって、接着剤の流出を抑制することができる
。
【００１２】
本発明において、前記第２部分は、平面視において前記電気光学パネルの端面より外側
に位置することが好ましい。かかる構成によれば、電気光学パネルの一方面側への接着剤
の周り込みをより確実に抑制することができる。
【００１３】
本発明において、前記プレートは、金属製である構成を採用することができる。かかる
構成によれば、プレートを介して電気光学パネルの熱を効率よく逃がすことができる。
【００１４】
本発明において、前記電気光学パネルの端面は、当該電気光学パネルに用いた石英基板
の端面によって構成されており、前記プレートは、ニッケルおよび鉄を含む合金からなる
ことが好ましい。かかる構成によれば、石英基板とプレートとの熱膨張係数を同等とする
ことができる。従って、温度変化に伴って、プレートや石英基板が膨張あるいは収縮した
場合でも、電気光学パネルに応力が加わりにくい。
【００１５】
本発明において、前記電気光学パネルは、前記第１基板と、該第１基板にシール材によ
って貼り合わされた第２基板と、前記第１基板と前記第２基板との間のうち、前記シール
材によって囲まれた空間内に設けられた液晶層と、を有し、前記第１基板の端面によって
前記電気光学パネルの端面が構成されている構成を採用することができる。
【００１６】
本発明に係る電気光学モジュールは各種電子機器に用いることができる。また、電子機
器として投射型表示装置を構成した場合、電子機器は、前記電気光学パネルに供給される
光を出射する光源部と、前記電気光学パネルによって変調された光を投射する投射光学系
と、を有している。投射型表示装置の場合、電気光学パネルに強い光が供給される結果、
電気光学モジュールの温度上昇が大きいが、かかる温度変化が発生しても、本発明によれ
ば、電気光学パネルに応力が加わりにくい。
【図面の簡単な説明】
【００１７】
【図１】本発明の実施の形態１に係る電気光学モジュールに用いた電気光学パネルの説明図である。
【図２】本発明の実施の形態１に係る電気光学モジュールの説明図である。
【図３】本発明の実施の形態１に係る電気光学モジュールの分解斜視図である。
【図４】本発明の実施の形態１に係る電気光学モジュールにおけるプレートへの電気光学パネルの固定構造等を示す説明図である。
【図５】本発明の実施の形態２に係る電気光学モジュールにおけるプレートへの電気光学パネルの固定構造等を示す説明図である。
【図６】本発明の実施の形態３に係る電気光学モジュールにおけるプレートへの電気光学パネルの固定構造等を示す説明図である。
【図７】本発明の実施の形態４に係る電気光学モジュールにおけるプレートへの電気光学パネルの固定構造等を示す説明図である。
【図８】本発明を適用した投射型表示装置（電子機器）の一例の概略構成図である。
【発明を実施するための形態】
【００１８】
図面を参照して、本発明の実施の形態を説明する。なお、以下の説明では、本発明を適
用した電気光学モジュールが、電気光学パネルとして反射型の液晶パネルを有している場
合を中心に説明する。また、以下の説明で参照する図においては、各層や各部材を図面上
で認識可能な程度の大きさとするため、各層や各部材毎に縮尺を異ならしめてある。
【００１９】
［実施の形態１］
（電気光学パネルの構成）
図１は、本発明の実施の形態１に係る電気光学モジュール１００に用いた電気光学パネ
ル４０の説明図であり、図１（ａ）、（ｂ）は各々、電気光学パネル４０を各構成要素と
ともに第２基板（対向基板）の側から見た平面図、およびそのＨ−Ｈ′断面図である。な
お。図１（ａ）では防塵ガラス５７の図示を省略してある。
【００２０】
図１に示すように、電気光学パネル４０は、第１基板５１（素子基板）と第２基板５２
（対向基板）とが所定の隙間を介してシール材４０７によって貼り合わされている。第１
基板５１および第２基板５２は石英基板やガラス基板等の透光性基板である。本形態にお
いて、第１基板５１および第２基板５２には石英基板が用いられている。本形態において
、電気光学パネル４０は液晶パネルであり、第１基板５１と第２基板５２との間において
シール材４０７によって囲まれた領域内に電気光学層４５０としての液晶層が保持されて
いる。シール材４０７は、第２基板５２の外縁に沿うように枠状に設けられている。シー
ル材４０７は、光硬化性を備えた接着剤、熱硬化性の接着剤、あるいは光硬化性および熱
硬化性の双方を備えた接着剤であり、両基板間の距離を所定値とするためのグラスファイ
バー、あるいはガラスビーズ等のギャップ材が配合されている。
【００２１】
本形態において、第１基板５１は四角形であり、４つの辺の各々に端面５１１、５１２
、５１３、５１４を備えている。第２基板５２も、第１基板５１と同様、四角形であり、
４つの辺の各々に端面５２１、５２２、５２３、５２４を備えている。第１基板５１は第
２基板５２よりサイズが大きく、第１基板５１の４つの端面５１１、５１２、５１３、５
１４は各々、第２基板５２の端面５２１、５２２、５２３、５２４より外側に位置する。
このため、本形態の電気光学パネル４０の端面は、第１基板５１の端面５１１、５１２、
５１３、５１４によって構成されている。
【００２２】
電気光学パネル４０の略中央には、変調光を出射する表示領域４０ａが四角形の領域と
して設けられている。かかる形状に対応して、シール材４０７も略四角形に設けられてい
る。電気光学パネル４０では、表示領域４０ａの端部と電気光学パネル４０の端面（第１
基板５１の端面５１１、５１２、５１３、５１４）との間には、四角枠状の周辺領域４０
ｃが設けられている。
【００２３】
第１基板５１は、端面５１４が位置する側の端部（Ｙ軸方向の一方側Ｙ１の端部）が他
の端部より第２基板５２の端面５２４から大きく張り出しており、かかる張り出し部分５
１９には、端面５１４に沿ってデータ線駆動回路４０１および複数の端子４０２が形成さ
れている。また、第１基板５１には、端面５１１、５１２に沿って走査線駆動回路４０４
が形成されている。端子４０２には、フレキシブル配線基板４０ｉが接続されており、第
１基板５１には、フレキシブル配線基板４０ｉを介して各種電位や各種信号が入力される
。
【００２４】
第１基板５１の第１面５１ａおよび第２面５１ｂのうち、第２基板５２と対向する第１
面５１ａには、表示領域４０ａに、画素電極４０５ａおよび画素電極４０５ａに対応する
画素トランジスター（スイッチング素子／図示せず）がマトリクス状に形成されており、
かかる画素電極４０５ａの上層側には配向膜４１６が形成されている。また、第１基板５
１の第１面５１ａにおいて、周辺領域４０ｃのうち、シール材４０７より内側の領域には
、画素電極４０５ａと同時形成されたダミー画素電極４０５ｂが形成されている。
【００２５】
第２基板５２の第１面５２ａおよび第２面５２ｂのうち、第１基板５１と対向する第１
面５２ａには透光性の共通電極４２１が形成されており、共通電極４２１の上層には配向
膜４２６が形成されている。配向膜４１６、４２６は、ポリイミドや無機配向膜からなる
。本形態において、配向膜４１６、４２６は、例えば、ＳｉＯX（ｘ＜２）、ＳｉＯ2、Ｔ
ｉＯ2、ＭｇＯ、Ａｌ2Ｏ3、Ｉｎ2Ｏ3、Ｓｂ2Ｏ3、Ｔａ2Ｏ5等の斜方蒸着膜（無機配向膜
）からなり、電気光学層４５０に用いた誘電異方性が負のネマチック液晶化合物を傾斜垂
直配向させる。従って、電気光学パネル４０は、ノーマリブラックのＶＡモードとして動
作する。
【００２６】
共通電極４２１は、第２基板５２の略全面あるいは複数の帯状電極として複数の画素に
跨って形成されており、本形態において、共通電極４２１は、第２基板５２の略全面に形
成されている。第２基板５２の第１面５２ａには、共通電極４２１の下層側に遮光層４０
８が形成されている。遮光層４０８は、表示領域４０ａの外周縁に沿って延在する額縁状
に形成されており、かかる遮光層４０８の内縁によって表示領域４０ａが規定されている
。遮光層４０８の外周縁は、シール材４０７の内周縁との間に隙間を隔てた位置にあり、
遮光層４０８とシール材４０７とは被さっていない。第２基板５２において、隣り合う画
素電極４０５ａにより挟まれた領域と重なる領域等には、遮光層４０８と同時形成された
遮光層がブラックマトリクスあるいはブラックストライプとして形成されることもある。
【００２７】
第１基板５１には、シール材４０７より外側において第２基板５２の角部分と重なる領
域に、第１基板５１と第２基板５２との間で電気的導通を行うための基板間導通用電極４
０９が形成されている。基板間導通用電極４０９と第２基板５２との間には、導電粒子を
含んだ基板間導通材４０９ａが配置されており、第２基板５２の共通電極４２１は、基板
間導通材４０９ａおよび基板間導通用電極４０９を介して、第１基板５１側に電気的に接
続されている。このため、共通電極４２１は、第１基板５１の側から共通電位が印加され
ている。シール材４０７は、略同一の幅寸法をもって第２基板５２の外周縁に沿って設け
られている。但し、シール材４０７は、第２基板５２の角部分と重なる領域では基板間導
通用電極４０９を避けて内側を通るように設けられている。
【００２８】
かかる構成の電気光学パネル４０は、透過型液晶パネルまたは反射型液晶パネルとして
構成される。電気光学パネル４０が透過型液晶パネルである場合、第１基板５１および第
２基板５２のいずれにも、石英基板等の透光性基板が用いられる。また、電気光学パネル
４０が透過型液晶パネルである場合、画素電極４０５ａおよび共通電極４２１は、ＩＴＯ
（Indium Tin Oxide）膜やＩＺＯ（Indium Zinc Oxide）膜等の透光性導電膜により形成
される。かかる透過型液晶パネル（電気光学パネル４０）では、例えば、第２基板５２の
側から入射した光が第１基板５１の側から出射される間に変調されて画像を表示する。
【００２９】
電気光学パネル４０が反射型液晶パネルである場合、共通電極４２１は、ＩＴＯ膜やＩ
ＺＯ膜等の透光性導電膜により形成され、画素電極４０５ａは、アルミニウム膜等の反射
性導電膜により形成される。かかる反射型液晶パネル（電気光学パネル４０）では、矢印
Ｌ１１、Ｌ１２で示すように、第２基板５２の側から入射した光が第１基板５１の側で反
射して出射される間に変調されて画像を表示する。このため、電気光学パネル４０が反射
型液晶パネルである場合、第１基板５１および第２基板５２のいずれにも、石英基板等の
透光性基板を用いることができる一方、第２基板５２に石英基板等の透光性基板を用い、
第１基板５１にシリコン基板等の半導体基板を用いることができる。
【００３０】
電気光学パネル４０が反射型液晶パネルである場合、第２基板５２の第２面５２ｂ側に
透光性の防塵ガラス５７が貼付される。これに対して、電気光学パネル４０が透過型液晶
パネルである場合、第２基板５２の第２面５２ｂに透光性の防塵ガラス５７が貼付される
とともに、第１基板５１の第２面５１ｂにも防塵ガラス５７が貼付される。
【００３１】
以下の説明では、電気光学パネル４０が反射型液晶パネルであり、第１基板５１および
第２基板５２のいずれにも、石英基板を用いた場合を例示する。
【００３２】
電気光学パネル４０は、例えば、モバイルコンピューター、携帯電話機等といった電子
機器のカラー表示装置として用いることができ、この場合、第２基板５２には、カラーフ
ィルター（図示せず）が形成される。また、電気光学パネル４０は、後述する投射型表示
装置（液晶プロジェクター）において、ＲＧＢ用のライトバルブに用いることができる。
この場合、ＲＧＢ用の各電気光学パネル４０の各々には、ＲＧＢ色分解用のダイクロイッ
クミラーを介して分解された各色の光が投射光として各々入射されることになるので、カ
ラーフィルターは形成されない。
【００３３】
（電気光学モジュール１００の全体構成）
図２は、本発明の実施の形態１に係る電気光学モジュール１００の説明図であり、図２
（ａ）、（ｂ）は、電気光学モジュール１００を光出射側からみたときの斜視図、および
電気光学パネル４０をプレート２に固定した状態を光出射側からみたときの斜視図である
。図３は、本発明の実施の形態１に係る電気光学モジュール１００の分解斜視図である。
【００３４】
図２および図３に示すように、電気光学パネル４０は、補強等を目的に、プレート２や
フレーム３に支持された電気光学モジュール１００として電子機器に搭載される。本形態
において、電気光学モジュール１００は、電気光学パネル４０が固定されたプレート２と
、電気光学パネル４０の側方を囲むフレーム３と、フレーム３の光出射側に取り付けられ
た見切り部材８とを備えている。
【００３５】
フレーム３は、電気光学パネル４０の側方を囲む枠部３１と、電気光学パネル４０の光
出射側を覆う端板部３２とを有しており、枠部３１がプレート２に対して接着、ネジ止め
等の方法で固定されている。フレーム３は、樹脂製あるいは金属製である。端板部３２に
おいて、電気光学パネル４０の防塵ガラス５７と重なる領域には矩形の開口部３２０が形
成されている。
【００３６】
見切り部材８は、フレーム３の端板部３２に対して電気光学パネル４０とは反対側で重
なる遮光板部８１を有しており、遮光板部８１において、電気光学パネル４０の表示領域
４０ａと重なる領域には矩形の開口部８１０が形成されている。見切り部材８は、樹脂製
あるいは金属製である。見切り部材８において、遮光板部８１は、表示領域４０ａに対す
る見切りとして機能する。本形態の見切り部材８には、遮光板部８１の外周縁のうち、Ｘ
方向の両側に位置する縁から、フレーム３の枠部３１の外面３１０に重なる連結板部８５
が延在している。また、連結板部８５には係合穴８５０が形成されており、枠部３１の外
面３１０には、係合穴８５０に係合する係合凸部３１５が形成されている。従って、見切
り部材８は、連結板部８５を介してフレーム３に固定されている。
【００３７】
（プレート２の構成）
図４は、本発明の実施の形態１に係る電気光学モジュール１００におけるプレート２へ
の電気光学パネル４０の固定構造等を示す説明図であり、図４（ａ）、（ｂ）、（ｃ）、
（ｄ）は、プレート２を光出射側からみた平面図、プレート２のパネル配置穴２０に電気
光学パネル４０を配置した状態を光出射側からみた平面図、プレート２のパネル配置穴２
０に電気光学パネル４０を配置した状態のＧ１−Ｇ１′断面図、および接着剤９による固
定部分を拡大して示す断面図である。
【００３８】
図２、図３および図４に示すように、プレート２は平板状であり、中央には、プレート
２を厚さ方向で貫通するパネル配置穴２０が形成されている。パネル配置穴２０は、電気
光学パネル４０よりわずかに大きい矩形の穴であり、パネル配置穴２０の内側に電気光学
パネル４０が配置される。パネル配置穴２０のうち、電気光学パネル４０のフレキシブル
配線基板４０ｉが配置される側には、切り欠き２９が形成されており、かかる切り欠き２
９を介してフレキシブル配線基板４０ｉがフレーム３の外側に引き出されている（図２（
ａ）参照）。
【００３９】
プレート２のパネル配置穴２０に電気光学パネル４０を配置した際、第１基板５１は、
パネル配置穴２０の内側に位置し、第１基板５１の第１面５１ａは、プレート２の第１面
２ａと略一平面内に位置する。これに対して、第２基板５２および防塵ガラス５７は、プ
レート２の第１面２ａから突出した状態となる。、
ここで、プレート２の厚さ（パネル配置穴２０の深さ）は、第１基板５１の厚さより大
である。このため、第１基板５１は、パネル配置穴２０内においてプレート２の第１面２
ａから第２面２ｂまでの途中位置まで入り込んだ状態にある。この状態を維持するために
、プレート２には、プレート２の厚さ方向において第２面２ｂの側にパネル配置穴２０の
内側に張り出した段部２３が形成されている。
【００４０】
段部２３のうち、第１基板５１の端面５１３、５１４の側に位置する部分は、第１基板
５１の第２面５１ｂと部分的に重なる位置まで張り出した第１パネル支持部２４になって
おり、第１パネル支持部２４は、第１基板５１の端面５１３、５１４の側において、第１
基板５１の第２面５１ｂ（電気光学パネル４０の一方面側）を支持している。本形態にお
いて、第１パネル支持部２４は、第１基板５１の端面５１３、５１４の延在方向（Ｘ方向
）においてパネル配置穴２０の全体にわたって同一の幅寸法をもって形成されている。
【００４１】
また、段部２３は、第１基板５１の端面５１１、５１２の側にも、第１基板５１の第２
面５１ｂと部分的に重なる位置まで張り出した２つの第２パネル支持部２５を有しており
、かかる２つの第２パネル支持部２５は各々、第１基板５１の端面５１１、５１２の側に
おいて、第１基板５１の第２面５１ｂ（電気光学パネル４０の一方面側）を支持している
。ここで、第２パネル支持部２５は、第１基板５１の端面５１１、５１２の延在方向（Ｙ
方向）の中央位置のみに形成されており、第１パネル支持部２４から離間している。
【００４２】
本形態では、第１パネル支持部２４と第２パネル支持部２５との間にも段部２３が形成
されているが、段部２３のうち、第１パネル支持部２４と第２パネル支持部２５との間に
位置する段部２６は、第１基板５１の第２面５１ｂと重なる位置まで張り出していない。
【００４３】
本形態において、プレート２は、第１基板５１と同等の熱膨張係数を有する金属板から
なる。本形態において、第１基板５１は、石英基板からなるため、プレート２は、少なく
ともニッケルおよび鉄を含む合金からなる。例えば、プレート２は、いわゆるインバー合
金（例えば、３６Ｎｉ−Ｆｅ合金、４２Ｎｉ−Ｆｅ合金等）や、３２Ｎｉ−５Ｃｏ−Ｆｅ
合金、２９Ｎｉ−１７Ｃｏ−Ｆｅ合金等からなる。これらの合金のうち、例えば、３６Ｎ
ｉ−Ｆｅ合金の線膨張係数は、約１．２×１０-6〔／°Ｃ〕であり、３２Ｎｉ−５Ｃｏ−
Ｆｅ合金の線膨張係数は、約０．１×１０-6〔／°Ｃ〕であり、第１基板５１（石英基板
）の熱膨張係数（約０．４８×１０-6〔／°Ｃ〕）と同等である。
【００４４】
（プレート２への電気光学パネル４０の固定構造）
このように構成したプレート２に電気光学パネル４０を固定するにあたっては、まず、
パネル配置穴２０の内側に電気光学パネル４０を配置する。その結果、電気光学パネル４
０は、第１パネル支持部２４および第２パネル支持部２５によって支持される。
【００４５】
この状態で、パネル配置穴２０の内周面２００のうち、第１面２ａ側に位置する部分は
、電気光学パネル４０の端面（第１基板５１の端面５１１、５１２、５１３、５１４）と
対向する第１部分２０１となる。この状態で、電気光学パネル４０の端面（第１基板５１
の端面５１１、５１２、５１３、５１４）と内周面２００の第１部分２０１との間には、
図４（ｄ）に示す寸法ｔ0の隙間があいている。
【００４６】
このようにしてプレート２のパネル配置穴２０の内側に電気光学パネル４０を配置した
状態で、プレート２の第１面２ａの側から光硬化性の接着剤９を塗布し、毛管現象等によ
り、電気光学パネル４０の端面（第１基板５１の端面５１１、５１２）と内周面２００と
の間に接着剤９を進入させる。その際、接着剤９の一部は、パネル配置穴２０の開口縁に
おいて第１面２ａに被さる。ここで、接着剤９は、電気光学パネル４０において、第１基
板５１の端面５１２、５１３が位置する２つの短辺の各々において、互いに離間する２個
所に設ける。より具体的には、平面視において、第１パネル支持部２４と第２パネル支持
部２５との間の段部２６と重なる部分に接着剤９を設ける。
【００４７】
このため、接着剤９が設けられた４個所の各々には、第１パネル支持部２４や第２パネ
ル支持部２５が設けられておらず、電気光学パネル４０と重なる位置まで到達しない段部
２６が形成されている。従って、接着剤９が設けられた個所においては、パネル配置穴２
０の内周面２００のうち、電気光学パネル４０の端面（第１基板５１の端面５１１、５１
２）と対向せずに第１部分２０１に第２面２ｂ側で隣り合う第２部分２０２は、図４（ｄ
）に示す寸法ｔ1の分、第１部分２０１より内側に張り出している。但し、平面視におい
て、第２部分２０２は、電気光学パネル４０の端面（第１基板５１の端面５１１、５１２
）より、図４（ｄ）に示す寸法ｔ2の分、外側に位置する。
【００４８】
それ故、プレート２の第１面２ａの側から接着剤９を塗布し、毛管現象等により、電気
光学パネル４０の端面（第１基板５１の端面５１１、５１２）と内周面２００の間に接着
剤９を進入させた際、接着剤９は、電気光学パネル４０の端面（第１基板５１の端面５１
１、５１２）と第１部分２０１との間には進入するが、第１部分２０１よりプレート２の
第２面２ｂ側（第２部分２０２の側）へは侵入せず、電気光学パネル４０の一方面側（第
１基板５１の第２面５１ｂ）側まで回り込まない。
【００４９】
このようにして接着剤９を塗布した後、プレート２の第１面２ａ側から接着剤９にＵＶ
光（紫外光）を照射し、接着剤９を硬化させる。その結果、電気光学パネル４０はプレー
ト２に固定される。従って、電気光学パネル４０の周りにフレーム３を配置した後、フレ
ーム３とプレート２とを固定し、しかる後に、フレーム３に見切り部材８を取り付ければ
、電気光学モジュール１００を得ることができる。
【００５０】
（本形態の主な効果）
以上説明したように、本形態では、プレート２のパネル配置穴２０に電気光学パネル４
０を配置した後、電気光学パネル４０の端面（第１基板５１の端面５１１、５１２）と内
周面２００との間に接着剤９を注入し、パネル配置穴２０の内周面２００のうち、電気光
学パネル４０の端面と対向する第１部分２０１と電気光学パネル４０の端面とを接着剤９
により固定する。ここで、接着剤９が設けられている個所では、パネル配置穴２０の内周
面２００のうち、第１部分２０１に対してプレート２の厚さ方向の一方側で隣り合う第２
部分２０２が、電気光学パネル４０の端面より外側に位置し、電気光学パネル４０の一方
面側に重なっていない。このため、電気光学パネル４０の端面とパネル配置穴２０の内周
面２００との間に接着剤９を設けた際、接着剤９が毛管現象によって電気光学パネル４０
の一方面側（第１基板５１の第２面５１ｂ側）まで回り込むという事態が発生しにくい。
従って、接着剤９が第１基板５１の第２面５１ｂに回り込んだ量が場所によって相違する
ことに起因する応力が第１基板５１に加わりにくいので、第１基板５１（電気光学パネル
４０）の変形を抑制することができる。それ故、電気光学パネル４０を利用して表示した
画像では、第１基板５１（電気光学パネル４０）の変形に起因する表示品位の低下が発生
しにくい。
【００５１】
また、本形態において、接着剤９は光硬化性であるが、光が届きにくい電気光学パネル
４０の一方面側（第１基板５１の第２面５１ｂ側）まで接着剤９が回り込むという事態が
発生しにくい。それ故、電気光学パネル４０の一方面側（第１基板５１の第２面５１ｂ側
）に未硬化の接着剤９が残るという事態が発生しにくい。
【００５２】
また、接着剤９は、電気光学パネル４０の周方向（電気光学パネル４０の端面に沿う方
向）において離間する複数個所で第１部分２０１と電気光学パネル４０の端面とを固定し
ている。このため、接着剤９を電気光学パネル４０の全周に設けた場合に比して、電気光
学パネル４０の一方面側（第１基板５１の第２面５１ｂ側）まで接着剤９が回り込むこと
をより抑制することができる。また、接着剤９は、電気光学パネル４０において相対向す
る２つの辺（第１基板５１の端面５１１、５１２）の各々において、互いに離間する２個
所に設けられている。このため、電気光学パネル４０の中心からみて、接着剤９を点対称
かつ線対称に配置しやすい。従って、プレート２や接着剤９が温度変化に伴って膨張ある
いは収縮した場合でも、かかる応力が電気光学パネル４０に均等に加わるため、電気光学
パネル４０の変形を抑制することができる。
【００５３】
また、プレート２は、接着剤９が設けられていない個所で第１部分２０１より内側に張
り出して、電気光学パネル４０の一方面側（第１基板５１の第２面５１ｂ側）を支持する
第１パネル支持部２４および第２パネル支持部２５を備えている。このため、プレート２
のパネル配置穴２０に配置した電気光学パネル４０を第１パネル支持部２４および第２パ
ネル支持部２５によって支持することができるので、電気光学パネル４０をプレート２に
固定する際、治具等によって電気光学パネル４０を支持する必要がない。
【００５４】
また、本形態において、接着剤９が設けられていない個所の第２部分２０２は、電気光
学パネル４０まで届かない段部２６になっている。このため、第２部分２０２は、平面視
において電気光学パネル４０の端面より外側に位置するが、第１部分２０１より内側に張
り出している。このため、電気光学パネル４０の端面とパネル配置穴２０の内周面２００
との間に接着剤９を設けた際、第２部分２０２によって、接着剤９の流出を抑制すること
ができる。
【００５５】
また、プレート２は、金属製であるため、プレート２を介して電気光学パネル４０の熱
を効率よく逃がすことができる。また、電気光学パネル４０の端面は、石英基板（第１基
板５１）の端面によって構成されており、プレート２は、ニッケルおよび鉄を含む合金か
らなる。このため、石英基板（第１基板５１）とプレート２とにおいて熱膨張係数を同等
とすることができるので、温度変化に伴って、プレート２や第１基板５１が膨張あるいは
収縮した場合でも、電気光学パネル４０に応力が加わりにくい。それ故、電気光学パネル
４０の変形を抑制することができる。
【００５６】
［実施の形態２］
図５は、本発明の実施の形態２に係る電気光学モジュール１００におけるプレート２へ
の電気光学パネル４０の固定構造等を示す説明図であり、図５（ａ）、（ｂ）、（ｃ）、
（ｄ）は、プレート２を光出射側からみた平面図、プレート２のパネル配置穴２０に電気
光学パネル４０を配置した状態を光出射側からみた平面図、プレート２のパネル配置穴２
０に電気光学パネル４０を配置した状態のＧ２−Ｇ２′断面図、および接着剤９による固
定部分を拡大して示す断面図である。なお、本形態および後述する実施の形態３、４は、
基本的な構成が実施の形態１と同様であるため、共通する部分には同一の符号を付してそ
れらの説明を省略する。
【００５７】
図５に示すように、本形態でも、実施の形態１と同様、プレート２にはパネル配置穴２
０が形成されている。また、プレート２のパネル配置穴２０に電気光学パネル４０を配置
した際、段部２３のうち、第１パネル支持部２４および第２パネル支持部２５によって支
持される。この状態で、パネル配置穴２０の内周面２００のうち、電気光学パネル４０の
端面（第１基板５１の端面５１１、５１２、５１３、５１４）と内周面２００の第１部分
２０１との間には、図５（ｄ）に示す寸法ｔ0の隙間があいている。
【００５８】
ここで、段部２３のうち、第１パネル支持部２４と第２パネル支持部２５との間に位置
する段部２６は、実施の形態１より大きく張り出している。このため、段部２６は、第１
基板５１の第２面５１ｂと重なる位置まで張り出していないが、電気光学パネル４０の端
面（第１基板５１の端面５１１、５１２）と平面視で重なる位置まで張り出している。従
って、接着剤９が設けられた個所においては、パネル配置穴２０の内周面２００のうち、
電気光学パネル４０の端面（第１基板５１の端面５１１、５１２）と対向せずに第１部分
２０１に第２面２ｂ側で隣り合う第２部分２０２が、図５（ｄ）に示す寸法ｔ0の分、第
１部分２０１より内側に張り出し、電気光学パネル４０の端面（第１基板５１の端面５１
１、５１２）と平面視で重なっている。その他の構成は、実施の形態１と同様である。
【００５９】
このような形態でも、実施の形態１と同様、電気光学パネル４０の端面とパネル配置穴
２０の内周面２００との間に接着剤９を設けた際、接着剤９が毛管現象によって電気光学
パネル４０の一方面側（第１基板５１の第２面５１ｂ側）まで回り込むという事態が発生
しにくい。従って、接着剤９が電気光学パネル４０の一方面側に回り込んだ量が場所によ
って相違することに起因する応力が電気光学パネル４０に加わりにくいので、電気光学パ
ネル４０の変形を抑制することができる等、実施の形態１と同様な効果を奏する。
【００６０】
［実施の形態３］
図６は、本発明の実施の形態３に係る電気光学モジュール１００におけるプレート２へ
の電気光学パネル４０の固定構造等を示す説明図であり、図６（ａ）、（ｂ）、（ｃ）、
（ｄ）は、プレート２を光出射側からみた平面図、プレート２のパネル配置穴２０に電気
光学パネル４０を配置した状態を光出射側からみた平面図、プレート２のパネル配置穴２
０に電気光学パネル４０を配置した状態のＧ３−Ｇ３′断面図、および接着剤９による固
定部分を拡大して示す断面図である。
【００６１】
図６に示すように、本形態でも、実施の形態１と同様、プレート２にはパネル配置穴２
０が形成されている。また、プレート２のパネル配置穴２０に電気光学パネル４０を配置
した際、段部２３のうち、第１パネル支持部２４および第２パネル支持部２５によって支
持される。この状態で、パネル配置穴２０の内周面２００のうち、電気光学パネル４０の
端面（第１基板５１の端面５１１、５１２、５１３、５１４）と内周面２００の第１部分
２０１との間には、図６（ｄ）に示す寸法ｔ0の隙間があいている。
【００６２】
ここで、第１パネル支持部２４と第２パネル支持部２５との間には段部２３が形成され
ていない。従って、接着剤９が設けられた個所においては、パネル配置穴２０の内周面２
００のうち、電気光学パネル４０の端面（第１基板５１の端面５１１、５１２）と対向せ
ずに第１部分２０１に第２面２ｂ側で隣り合う第２部分２０２が、平面視において、電気
光学パネル４０の端面（第１基板５１の端面５１１、５１２）より、図６（ｄ）に示す寸
法ｔ0の分、外側に位置する。その他の構成は、実施の形態１と同様である。
【００６３】
このような形態でも、実施の形態１と同様、電気光学パネル４０の端面とパネル配置穴
２０の内周面２００との間に接着剤９を設けた際、接着剤９が毛管現象によって電気光学
パネル４０の一方面側（第１基板５１の第２面５１ｂ側）まで回り込むという事態が発生
しにくい。従って、接着剤９が電気光学パネル４０の一方面側に回り込んだ量が場所によ
って相違することに起因する応力が電気光学パネル４０に加わりにくいので、電気光学パ
ネル４０の変形を抑制することができる等、実施の形態１と同様な効果を奏する。
【００６４】
［実施の形態４］
図７は、本発明の実施の形態４に係る電気光学モジュール１００におけるプレート２へ
の電気光学パネル４０の固定構造等を示す説明図であり、図７（ａ）、（ｂ）、（ｃ）、
（ｄ）は、プレート２を光出射側からみた平面図、プレート２のパネル配置穴２０に電気
光学パネル４０を配置した状態を光出射側からみた平面図、プレート２のパネル配置穴２
０に電気光学パネル４０を配置した状態のＧ４−Ｇ４′断面図、および接着剤９による固
定部分を拡大して示す断面図である。
【００６５】
図７に示すように、本形態でも、実施の形態１と同様、プレート２にはパネル配置穴２
０が形成されている。ここで、パネル配置穴２０には段部２３（第１パネル支持部２４お
よび第２パネル支持部２５）が形成されていない。このため、電気光学パネル４０の一方
面側（第１基板５１の第２面５１ｂ側）は、治具等（図示せず）によって支持されている
。この状態で、パネル配置穴２０の内周面２００のうち、電気光学パネル４０の端面（第
１基板５１の端面５１１、５１２、５１３、５１４）と内周面２００の第１部分２０１と
の間には、図７（ｄ）に示す寸法ｔ0の隙間があいている。
【００６６】
また、接着剤９が設けられた個所においては、パネル配置穴２０の内周面２００のうち
、電気光学パネル４０の端面（第１基板５１の端面５１１、５１２）と対向せずに第１部
分２０１に第２面２ｂ側で隣り合う第２部分２０２が、平面視において、電気光学パネル
４０の端面（第１基板５１の端面５１１、５１２）より、図７（ｄ）に示す寸法ｔ0の分
、外側に位置する。その他の構成は、実施の形態１と同様である。
【００６７】
このような形態でも、実施の形態１と同様、電気光学パネル４０の端面とパネル配置穴
２０の内周面２００との間に接着剤９を設けた際、接着剤９が毛管現象によって電気光学
パネル４０の一方面側（第１基板５１の第２面５１ｂ側）まで回り込むという事態が発生
しにくい。従って、接着剤９が電気光学パネル４０の一方面側に回り込んだ量が場所によ
って相違することに起因する応力が電気光学パネル４０に加わりにくいので、電気光学パ
ネル４０の変形を抑制することができる等、実施の形態１と同様な効果を奏する。
【００６８】
［電気光学モジュールの他の形態］
上記実施の形態では、反射型の電気光学パネル４０を備えた電気光学モジュール１００
を例示したが、透過型の電気光学パネル４０を備えた電気光学モジュール１００に本発明
を適用してもよい。
【００６９】
上記実施の形態では、電気光学パネル４０として液晶パネルを例に挙げて説明したが、
本発明はこれに限定されず、有機エレクトロルミネッセンス表示用パネル、プラズマディ
スプレイパネル、ＦＥＤ（Field Emission Display）パネル、ＳＥＤ（Surface-Conducti
on Electron-Emitter Display）パネル、ＬＥＤ（発光ダイオード）表示パネル、電気泳
動表示パネル等を用いた電気光学モジュールに本発明を適用してもよい。
【００７０】
［電子機器への搭載例］
（投射型表示装置の構成例）
図８は、本発明を適用した投射型表示装置（電子機器）の一例の概略構成図である。以
下の説明では、上記実施の形態に係る電気光学モジュール１００を３つ用い、３つの電気
光学モジュール１００の電気光学パネル４０を各々、赤色用液晶パネル１００Ｒ、緑色用
液晶パネル１００Ｇおよび青色用液晶パネル１００Ｂとして用いる。
【００７１】
図８に示す投射型表示装置１０００は、光源光を発生する光源部１０２１と、光源部１
０２１から出射された光源光を赤色光Ｒ、緑色光Ｇ、および青色光Ｂの３色の色光に分離
する色分離導光光学系１０２３と、色分離導光光学系１０２３から出射された各色の光源
光によって照明される光変調部１０２５とを有している。また、投射型表示装置１０００
は、光変調部１０２５から出射された各色の像光を合成するクロスダイクロイックプリズ
ム１０２７（合成光学系）と、クロスダイクロイックプリズム１０２７を経た像光をスク
リーン（不図示）に投射する投射光学系１０２９とを備えている。本形態において、光変
調部１０２５を構成する複数の電気光学モジュール１００（反射型液晶装置）、およびク
ロスダイクロイックプリズム１０２７（光合成光学系）は、光学ユニット１２００を構成
している。
【００７２】
かかる投射型表示装置１０００において、光源部１０２１は、光源１０２１ａと、一対
のフライアイ光学系１０２１ｄ、１０２１ｅと、偏光変換部材１０２１ｇと、重畳レンズ
１０２１ｉとを備えている。本形態においては、光源部１０２１は、放物面からなるリフ
レクタ１０２１ｆを備えており、平行光を出射する。フライアイ光学系１０２１ｄ、１０
２１ｅは、システム光軸と直交する面内にマトリクス状に配置された複数の要素レンズか
らなり、これらの要素レンズによって光源光を分割して個別に集光・発散させる。偏光変
換部材１０２１ｇは、フライアイ光学系１０２１ｅから出射した光源光を、例えば図面に
平行なｐ偏光成分のみに変換して光路下流側光学系に供給する。重畳レンズ１０２１ｉは
、偏光変換部材１０２１ｇを経た光源光を全体として適宜収束させることにより、光変調
部１０２５に設けた複数の電気光学モジュール１００を各々均一に重畳照明可能とする。
【００７３】
色分離導光光学系１０２３は、クロスダイクロイックミラー１０２３ａと、ダイクロイ
ックミラー１０２３ｂと、反射ミラー１０２３ｊ、１０２３ｋとを備える。色分離導光光
学系１０２３において、光源部１０２１からの略白色の光源光は、クロスダイクロイック
ミラー１０２３ａに入射する。クロスダイクロイックミラー１０２３ａを構成する一方の
第１ダイクロイックミラー１０３１ａで反射された赤色光Ｒは、反射ミラー１０２３ｊで
反射されダイクロイックミラー１０２３ｂを透過して、入射側偏光板１０３７ｒ、ｐ偏光
を透過させる一方、ｓ偏光を反射するワイヤーグリッド偏光板１０３２ｒ、および光学補
償板１０３９ｒを介して、ｐ偏光のまま、電気光学モジュール１００（赤色用液晶パネル
１００Ｒ）に入射する。
【００７４】
また、第１ダイクロイックミラー１０３１ａで反射された緑色光Ｇは、反射ミラー１０
２３ｊで反射され、その後、ダイクロイックミラー１０２３ｂでも反射されて、入射側偏
光板１０３７ｇ、ｐ偏光を透過させる一方、ｓ偏光を反射するワイヤーグリッド偏光板１
０３２ｇ、および光学補償板１０３９ｇを介して、ｐ偏光のまま、電気光学モジュール１
００（緑色用液晶パネル１００Ｇ）に入射する。
【００７５】
これに対して、クロスダイクロイックミラー１０２３ａを構成する他方の第２ダイクロ
イックミラー１０３１ｂで反射された青色光Ｂは、反射ミラー１０２３ｋで反射されて、
入射側偏光板１０３７ｂ、ｐ偏光を透過する一方、ｓ偏光を反射するワイヤーグリッド偏
光板１０３２ｂ、および光学補償板１０３９ｂを介して、ｐ偏光のまま、電気光学モジュ
ール１００（青色用液晶パネル１００Ｂ）に入射する。なお、光学補償板１０３９ｒ、１
０３９ｇ、１０３９ｂは、電気光学モジュール１００への入射光および出射光の偏光状態
を調整することで、液晶層の特性を光学的に補償している。
【００７６】
このように構成した投射型表示装置１０００では、光学補償板１０３９ｒ、１０３９ｇ
、１０３９ｂを経て入射した３色の光は各々、各電気光学モジュール１００において変調
される。その際、電気光学モジュール１００から出射された変調光のうち、ｓ偏光の成分
光は、ワイヤーグリッド偏光板１０３２ｒ、１０３２ｇ、１０３２ｂで反射し、出射側偏
光板１０３８ｒ、１０３８ｇ、１０３８ｂを介してクロスダイクロイックプリズム１０２
７に入射する。クロスダイクロイックプリズム１０２７には、Ｘ字状に交差する第１誘電
体多層膜１０２７ａおよび第２誘電体多層膜１０２７ｂが形成されており、一方の第１誘
電体多層膜１０２７ａは赤色光Ｒを反射し、他方の第２誘電体多層膜１０２７ｂは青色光
Ｂを反射する。従って、３色の光は、クロスダイクロイックプリズム１０２７において合
成され、投射光学系１０２９に出射される。そして、投射光学系１０２９は、クロスダイ
クロイックプリズム１０２７で合成されたカラーの像光を、所望の倍率でスクリーン（図
示せず。）に投射する。
【００７７】
（他の投射型表示装置）
なお、投射型表示装置については、光源部として、各色の光を出射するＬＥＤ光源等を
用い、かかるＬＥＤ光源から出射された色光を各々、別の電気光学装置（液晶装置）に供
給するように構成してもよい。
【００７８】
（他の電子機器）
本発明を適用した電気光学モジュール１００については、上記の電子機器の他にも、携
帯電話機、情報携帯端末（ＰＤＡ：Personal Digital Assistants）、デジタルカメラ、
液晶テレビ、カーナビゲーション装置、テレビ電話、ＰＯＳ端末、タッチパネルを備えた
機器等の電子機器において直視型表示装置として用いてもよい。
【符号の説明】
【００７９】
２・・プレート、２ａ・・第１面、２ｂ・・第２面、３・・フレーム、８・・見切り部材
、９・・接着剤、２０・・パネル配置穴、２３・・段部、２４・・第１パネル支持部、２
５・・第２パネル支持部、２６・・段部、４０・・電気光学パネル、４０ａ・・表示領域
、５１・・第１基板、５１ａ・・第１面、５１ｂ・・第２面、５２・・第２基板、５７・
・防塵ガラス、２００・・パネル配置穴の内周面、２０１・・第１部分、２０２・・第２
部分、４０５ａ・・画素電極、４２１・・共通電極、４５０・・電気光学層、５１１〜５
１４・・端面、１００・・電気光学モジュール、１０００・・投射型表示装置、１０２１
・・光源部、１０２９・・投射光学系
【図１】
2015197573.tif 000003
【図２】
2015197573.tif 000004
【図３】
2015197573.tif 000005
【図４】
2015197573.tif 000006
【図５】
2015197573.tif 000007
【図６】
2015197573.tif 000008
【図７】
2015197573.tif 000009
【図８】
2015197573.tif 000010